(57)【要約】【課題】洗浄性能を高めて、衣類の黒ずみを防止するドラム式洗濯機を提供すること。【解決手段】水槽５２と、回転ドラム５３と、モータ５４と、水槽５２内に給水する給水弁８５と、入力設定手段８３と表示手段８４とで構成される操作表示手段７４と、水槽５２の内底下部に設けられた排水口７１と、排水口７１と連通する排水弁５９と、衣類の量を検知する布量検知手段９１と、給水弁８５やモータ５４等を制御し、洗い、すすぎ、脱水の一連の行程、および黒ずみ防止コースを逐次制御する制御手段８８とを備え、制御手段８８は、入力設定手段８３にて黒ずみ防止コースが選択された時、布量検知手段９１にて布量検知後、洗剤自動投入装置９４により洗剤を投入し、予洗い後、排水した後に再度洗剤自動投入装置により洗剤を投入し、本洗いを行うことで、洗剤量も少ない状態にて高洗剤濃度洗浄を実現し、洗浄性能を高めて衣類の黒ずみを防止することができる。【選択図】図４
2012090829.tif 000002
【特許請求の範囲】
【請求項１】
洗濯機本体内に揺動自在に支持された水槽と、前記水槽内に内包され有底円筒形に形成された回転ドラムと、前記回転ドラムを回転駆動するモータと、前記水槽内に給水する給水弁と、洗濯機本体内方に設けられ洗剤を水槽内に自動投入する洗剤自動投入装置と、前記洗濯機本体前面上部に設けられ入力設定手段と表示手段とで構成される操作表示手段と、前記水槽の内底下部に設けられた排水口と、前記排水口と連通する排水弁と、衣類の量を検知する布量検知手段と、前記給水弁や前記モータ等を制御し、洗い、すすぎ、脱水の一連の行程、および黒ずみ防止コースを逐次制御する制御手段とを備え、前記制御手段は、前記操作表示手段にて黒ずみ防止コースが選択された時、前記布量検知手段の結果に応じて、前記洗剤自動投入装置にて洗剤を投入し、前記給水弁にて給水を行った後、前記モータを動作させて予洗い行程を行った後、前記排水弁を動作させて水槽内の水を排水し、再び前記洗剤自動投入装置にて前記予洗い行程時よりも少量の洗剤を投入し、前記給水弁にて給水を行った後に本洗い行程を行うことを特徴とするドラム式洗濯機。
【請求項２】
制御手段は、予洗い行程を行った後、排水弁を動作させて水槽内の水を排水し、所定時間脱水した後、再び前記洗剤自動投入装置にて洗剤を投入し、前記給水弁にて給水を行った後に本洗い行程を行うことを特徴とする請求項１記載のドラム式洗濯機。
【発明の詳細な説明】
【技術分野】
【０００１】
本発明は、洗浄性能を高めて衣類の黒ずみ防止を行なうドラム式洗濯機に関するものである。
【背景技術】
【０００２】
従来、この種の洗濯機では、洗浄性能を向上させるために、洗濯液を高濃度状態にして洗いを行なう制御方式が提案されてきた。（例えば、特許文献１参照）。
【０００３】
図６は、特許文献１に記載された従来の洗濯機の動作フローチャート、図７は、同洗濯機の水量設定キーの正面図、図８は、同洗濯機の洗剤量を表示する表示態様を示す図である。
【０００４】
図６において、電源が投入されてスタートし、高濃度運転コースが選択されると（ステップＳ１のＹＥＳ）、図７に示す表示ランプで使用水量を表示するとともに、図８の（ａ）または（ｂ）に示すような表示ランプを用いて投入する洗剤量の目安を表示させる（ステップＳ２。）使用者は、この表示に従って内槽などに洗剤を投入する。ここで、特許文献１では、洗剤量を標準運転コースに必要な量よりも多量に表示し、かつ、給水量を標準運転コースよりも少なくするようにしている。そして、給水量は、定格よりも少ない負荷に合わせ、固定している。例えば、水量を３０リットルとし、この時の洗剤量は６０ｇと表示する。これは、標準洗濯コースで洗濯物の量を３ｋｇに設定した場合の設定値、水量３９リットル、洗剤量２７ｇと比較して、洗剤濃度は約３倍となる。
【０００５】
洗剤量表示に基づき洗剤を投入し洗濯をスタートさせると、設定された給水量まで給水し（ステップＳ３）、洗い行程に入る（ステップＳ１１）。所定の洗い時間が経過すると（ステップＳ１２のＹＥＳ）、次のすすぎ工程に入っていく。漬け置き高濃度コースが選択されると（ステップＳ４のＹＥＳ）、高濃度洗濯コースと同様に、水量を表示すると共に、洗剤量を表示させ（ステップＳ５）、給水して（ステップＳ６）、漬け置き期間に入る。そして、ステップＳ７、Ｓ８、Ｓ９と進行し、漬け置きが終了すると（ステップＳ１０のＹＥＳ）、前述と同様に洗い行程（ステップＳ１１）に入る。
【０００６】
上記の制御方式により、標準運転コースよりも洗剤を多く、水量を少なくして洗濯することにより、洗浄力を上げることが出来るという提案である。
【０００７】
また、洗濯機の水槽内に洗剤を自動投入する洗剤自動投入装置が既に実用化されており、液体洗剤の自動投入装置がその取り扱いやすさにより現在では主流となっている。投入方式としては、液体洗剤をタンクに溜めて、エアポンプでタンクに内に空気を送ることでタンク内の圧力が上がり、液体洗剤が押し出されるという構成である。（例えば、特許文献２参照）。
【先行技術文献】
【特許文献】
【０００８】
【特許文献１】特開２０００−３４２８８７号公報
【特許文献２】特開２００２−３１５９９５号公報
【発明の概要】
【発明が解決しようとする課題】
【０００９】
しかしながら、前記特許文献１に示す従来の構成では、規定量の衣類を、規定の水量よりも少ない水量で洗うために、洗濯槽（内槽）の中で衣類を無理やり撹拌するということになる。特許文献１では、実施の形態として縦型の全自動洗濯機で説明されているが、縦型洗濯機に限らずドラム式洗濯機であっても、内槽を内包する水槽（外槽）は、筺体内に揺動自在に支持されており、内槽の中で衣類を無理やり撹拌すれば、外槽全体が大きく揺れて、振動が大きくなり騒音が発生し、最悪の場合は外槽が筺体に激突するという課題を有していた。
【００１０】
また、それを防ぐために規定量の衣類に対し規定の水量を入れる代わりに、使用者に洗剤を通常の２倍程度入れてもらうことで洗剤濃度を上げるという方法も提案されているが、汚れの再付着を完全に防止することはできず、また、洗剤量が増えることによることで負担が２倍となるという課題も有していた。
【００１１】
本発明は、前記従来の課題を解決するもので、振動性能を損なうことなく、洗浄性能を高めて衣類の黒ずみを防止し、高品質の仕上がりができ、さらには洗剤量を極力増やさずに実現させる環境にやさしいドラム式洗濯機を提供することを目的とする。
【課題を解決するための手段】
【００１２】
前記従来の課題を解決するために本発明のドラム式洗濯機は、洗濯機本体内に揺動自在に支持された水槽と、前記水槽内に内包され有底円筒形に形成された回転ドラムと、前記回転ドラムを回転駆動するモータと、前記水槽内に給水する給水弁と、洗濯機本体内方に設けられ洗剤を水槽内に自動投入する洗剤自動投入装置と、前記洗濯機本体前面上部に設けられ入力設定手段と表示手段とで構成される操作表示手段と、前記水槽の内底下部に設けられた排水口と、前記排水口と連通する排水弁と、衣類の量を検知する布量検知手段と、前記給水弁や前記モータ等を制御し、洗い、すすぎ、脱水の一連の行程、および黒ずみ防止コースを逐次制御する制御手段とを備え、前記制御手段は、前記操作表示手段にて黒ずみ防止コースが選択された時、前記布量検知手段の結果に応じて、前記洗剤自動投入装置にて洗剤を投入し、前記給水弁にて給水を行った後、前記モータを動作させて予洗い行程を行った後、前記排水弁を動作させて水槽内の水を排水し、再び前記洗剤自動投入装置にて前記予洗い行程時よりも少量の洗剤を投入し、前記給水弁にて給水を行った後に本洗い行程を行うことで、予洗い行程で一度流れ出した汚れが排水でき、衣類への再付着を防止するとともに、布量に合った水位で高洗剤濃度洗浄を行うことができ、洗浄性能を高め、衣類の黒ずみを防止することができる。
【発明の効果】
【００１３】
本発明のドラム式洗濯機は、黒ずみ防止コース（高品位仕上げコース）で運転することにより、高品質の仕上がりを達成することができる。
【図面の簡単な説明】
【００１４】
【図１】本発明の第１の実施の形態におけるドラム式洗濯機の縦断面図
【図２】同ドラム式洗濯機のブロック回路図
【図３】同ドラム式洗濯機の操作表示部の一例図
【図４】同ドラム式洗濯機の高品位仕上げコースの洗い〜脱水制御のフローチャート
【図５】同ドラム式洗濯機の高品位仕上げコースの洗い〜脱水制御の他のフローチャート
【図６】特許文献１に記載された従来の洗濯機の動作フローチャート
【図７】同洗濯機の水量設定キーの正面図
【図８】同洗濯機の洗剤量を表示する表示態様を示す図
【発明を実施するための形態】
【００１５】
第１の発明は、洗濯機本体内に揺動自在に支持された水槽と、前記水槽内に内包され有底円筒形に形成された回転ドラムと、前記回転ドラムを回転駆動するモータと、前記水槽内に給水する給水弁と、洗濯機本体内方に設けられ洗剤を水槽内に自動投入する洗剤自動投入装置と、前記洗濯機本体前面上部に設けられ入力設定手段と表示手段とで構成される操作表示手段と、前記水槽の内底下部に設けられた排水口と、前記排水口と連通する排水弁と、衣類の量を検知する布量検知手段と、前記給水弁や前記モータ等を制御し、洗い、すすぎ、脱水の一連の行程、および黒ずみ防止コースを逐次制御する制御手段とを備え、前記制御手段は、前記操作表示手段にて黒ずみ防止コースが選択された時、前記布量検知手段の結果に応じて、前記洗剤自動投入装置にて洗剤を投入し、前記給水弁にて給水を行った後、前記モータを動作させて予洗い行程を行った後、前記排水弁を動作させて水槽内の水を排水し、再び前記洗剤自動投入装置にて前記予洗い行程時よりも少量の洗剤を投入し、前記給水弁にて給水を行った後に本洗い行程を行うことで、予洗い行程で一度流れ出した汚れを排水することで、衣類への再付着を防止するとともに、布量に合った水位で高洗剤濃度洗浄を行うことができ、洗浄性能を高め、衣類の黒ずみを防止することができる。また、本洗い行程で投入する洗剤量を予洗い行程時よりも少なくすることで、洗剤使用量が少なくても洗浄性能を高めて衣類の黒ずみを防止し、高品質に仕上げ、かつ無駄な洗剤を使用しないで済むために環境にやさしいドラム式洗濯機を提供することが実現できる。
【００１６】
第２の発明は、特に、第１の発明において、制御手段は、予洗い行程を行った後、排水弁を動作させて水槽内の水を排水し、所定時間脱水した後、再び前記洗剤自動投入装置にて洗剤を投入し、前記給水弁にて給水を行った後に本洗い行程を行うことで、衣類に吸水されている汚れを強制的に剥離できるため、汚れの再付着を最大限に抑え、さらに前記洗剤自動投入装置にて洗剤を投入することで、本洗い行程での洗浄性能を高めて衣類の黒ずみを防止し、高品質に仕上げることができる。
【００１７】
（実施の形態１）
図１は、本発明の第１の実施の形態におけるドラム式洗濯機の縦断面図、図２は、同ドラム式洗濯機のブロック回路図を示すものである。
【００１８】
図１に示すように、洗濯機本体５１の内部に揺動自在に水槽５２が配設され、水槽５２内には、回転ドラム５３が回転自在に配設され、回転ドラム５３は、水槽５２の背面に外側より取り付けられたモータ５４により回転駆動される。
【００１９】
また、本発明のドラム式洗濯機は、モード設定や制御プログラムに従い、図１に示すモータ５４、給水系５５、排水系５６、乾燥系５７などを自動制御して、少なくとも洗い行程、すすぎ行程、脱水行程、乾燥行程を行う機能を有したいわゆるドラム式洗濯機を構成している。乾燥系５７の内部については以下記述と説明を省略する。
【００２０】
給水系５５は、給水弁８５（図２で後述）の開閉によって、正面から見て中心より左側に設けられた給水経路７５を介して、実線矢印ａで示すように水槽５２内部に適時に給水でき、また給水を利用して洗剤収容部５８の洗剤を水道水と共に水槽５２内に適時に投入できるようになっている。
【００２１】
洗剤タンク（洗剤自動投入装置）９４は内部に液体洗剤を溜めることができ、洗濯機本体５１の外部に突出した洗剤タンクキャップ９４ａから注入することができる。エアポンプ（洗剤自動投入装置）９５を動作させることにより、内部の圧力が上がりタンク内部の液体洗剤が押し出され、洗剤収容部５８内に投入することができる。
【００２２】
排水系５６は、排水弁５９の開閉によって洗い行程終了時、すすぎ行程終了時など必要なときに一点鎖線矢印ｂで示すように、水槽５２の内底下部に形成された排水口７１に接続された排水管６０を介し、フィルターケース６７に内設され、糸屑類を捕集し外部から取り外し可能の排水フィルタ６１を通過した後、接続ホース７２、排水弁５９を経由して、機外に排水できるようになっている。なお、水槽５２の側壁内方下部には、排水口７１へ排水されやすいように、凹状の排水溝７６が形成されている。
【００２３】
排水弁５９の上流側には、エアートラップ６８を構成し、空気管６９にて圧力センサーなどで構成された水位検知手段７８（図２にて後述）に連接し、水槽５２内部に給水された洗濯水の水圧により複数段の水位を検知する事が出来る。
【００２４】
回転ドラム５３は、略水平方向または水平方向から下向きに傾斜となるように配した回転軸６３により水槽５２の外底部に固着したモータ５４に直結され、回転駆動する事により、前方の開閉扉６４部より回転ドラム５３に投入された衣類の撹拌たたき洗いを行う。なお、開閉扉６４は、水槽５２の開口縁６５に装着したシール材６６を介して密閉し、また開くことができるようにしている。
【００２５】
乾燥系５７は、水槽５２および回転ドラム５３内の空気を、送風用ファンモータ７７を有する送風機６２によって図１の破線矢印ｃで示すように循環させる。乾燥系５７内には、糸屑類を捕集し除塵するフィルタ（図示せず）や、除塵後の導入空気を除湿する除湿部、除湿後の空気を加熱して渇いた高温空気とする加熱部等で構成されるヒートポンプ装置８６（図２にて後述）等を有する。
【００２６】
また、上記に併せ、洗い準備行程時、洗い行程時、すすぎ行程時など必要に応じ、循環系水路７８にて水槽５２内の水を循環させて洗剤の早期溶け込みや偏りの防止、洗いやすすぎの機能向上を図る機能を有している。
【００２７】
この循環系水路７８は、例えば洗い行程中に、回転速度可変のモータからなる循環ポンプ７９を駆動させることで、水槽５２内の水を、底部の排水管６０を介し、排水フィルタ６１を通過させ、循環ポンプ７９への流入側経路８０、循環ポンプ７９、および循環ポンプ７９からの吐出側経路８１を介して、水槽５２前部に形成した複数の噴射穴８２より、矢印ｄで示す循環水として回転ドラム５３内に噴射する。
【００２８】
運転コース等のモードや各種機能の選択は、洗濯機本体５１の前面上部の操作パネル７３に設けられた、入力設定手段８３（図２で後述）と、表示手段８４（図２で後述）とで構成される操作表示手段７４から入力して行い、制御装置７０がその入力情報を基に操作パネル７３上の表示手段８４で表示して使用者に知らせるとともに、操作パネル７３での入力設定手段８３により運転開始が設定されると、水槽５２内の水位を検知する水位検知手段７８等からのデータを入力して、モータ５４、排水弁５９、給水弁８５などの動作を制御し、洗い、すすぎ、脱水、乾燥行程などの運転を行う。
【００２９】
図２のブロック回路図において、制御装置７０の制御手段８８は、マイクロコンピュータなどで構成し、商用電源８９から、電源スイッチ９０のＯＮにより電力が供給されて動作を始め、布量検知手段９１、水位検知手段７８、温度検知手段９２、９３の出力を入力し、入力設定手段８３にて使用者の入力により設定された内容に基づいて、表示手段８４に設定内容を表示するとともに、双方向サイリスタ、リレーなどで構成した負荷駆動手段８７を介して、モータ５４、液体洗剤投入のエアポンプ９５、送風用ファンモータ７７、ヒートポンプ装置８６、給水弁８５、排水弁５９、循環ポンプ７９などの動作を制御し、洗い、すすぎ、脱水、乾燥の各行程を制御する。また、入力設定手段８３と表示手段８４とで、操作表示手段７４を構成している。
【００３０】
上記構成において、本願の言及する黒ずみ防止コース（高品位仕上げコース）を選択した際の洗い、すすぎ、脱水行程の動作を説明する。
【００３１】
図３は、本発明の第１の実施の形態におけるドラム式洗濯機の操作表示部の一例図、図４は、同ドラム式洗濯機の高品位仕上げコースの洗い〜脱水制御のフローチャートである。
【００３２】
まず、使用者が開閉扉６４を開け、回転ドラム５３に衣類を投入する。そして、図３の操作表示部図において、入力設定手段８３にて、電源入りボタン８３ａを押して電源を入れ、コースボタン８３ｃにて高品位仕上げコース８４ａを選択して、スタートボタン８３ｂを押して、運転をスタートする。
【００３３】
入力設定手段８３には、他に、洗濯や乾燥を設定する洗・乾切換ボタン８３ｄ、洗いから乾燥までの行程を設定する行程ボタン８３ｅ、液体洗剤自動投入をするかを設定するボタン８３ｇ、水位を設定する水位ボタン８３ｆなどがある。水位は、使用者が布量に合わせて自由に設定できるが、使用者が設定しない場合は、布量検知の結果に基づき低〜高２の水位が自動設定される。なお、衣類の黒ずみを防止する高品位仕上げコースの場合は、低水位あるいは中水位が自動設定されるようになっている。
【００３４】
図４のフローチャートにおいて、液体洗剤自動投入が選択されていると、ステップＳ２へ進み、さらに高品位仕上げコースが選択されるとステップＳ２からステップＳ３へ進む。布量検知手段９１にて投入された布量を検知し、ステップＳ４で、制御手段８８にて、布量に応じた水位、このコースの場合は低水位あるいは中水位が水位表示部８４ｂに表示され、同時に、その水位の水量に対する通常の洗剤濃度の洗剤量が、デジタル表示部８４ｃに洗剤カップの量（杯）として表示される。例えば、布量が４．５ｋｇの場合は、自動設定される規定の水位は中水位であり、通常洗剤濃度の洗剤量は洗剤カップ０．８杯である。
【００３５】
ステップＳ５にて、液体洗剤がエアポンプ９５より、自動で洗剤カップ０．８杯相当の規定量を投入されると、給水が始まる（ステップＳ６）。所定量の給水が終わると、ステップＳ７にて給水撹拌が始まる。給水撹拌では、循環ポンプ７９が駆動し、水槽５２内の洗濯水が、循環水として水槽５２上部の噴射穴８２より回転ドラム５３内に噴射されて洗剤の溶解が促進されると同時に、モータ５４が駆動して、回転ドラム５３が回転し、衣類が撹拌され、予洗い行程が始まる。
【００３６】
予洗い行程が終わり、衣類の汚れがある程度落とされると、排水弁５９が開いて排水が行なわれる（ステップＳ８）。排水では、水槽５２内の水を完全に排水し、水位検知手段７８で水がないことを検知した後、排水弁５９が閉じられる。この排水により、衣類から剥離されたある程度の汚れが、機外へ完全に排出されることになる。その後、ステップ９により再び液体洗剤をエアポンプ９５により自動的に規定量投入し、ステップＳ６と同水位まで給水が行なわれる（ステップＳ１０）。
【００３７】
この予洗い行程後の、このステップＳ８の排水と、ステップＳ９の液体洗剤自動投入、ステップ１０の給水により、水槽５２内の洗剤濃度を、通常濃度である略１倍以上にすることができる。そして、ステップＳ１１にて、本洗い行程の洗い撹拌が行なわれる。
【００３８】
次行程の、すすぎ（１）行程では、排水弁５９を開いて水槽５２内の水を排水（ステップＳ１２）した後、中間脱水が行なわれ（ステップＳ１３）、衣類に遠心力を与えることにより、水分を衣類から分離することで行ったのち、給水にて、洗いの水位まで給水し、モータ５４が駆動し、衣類から洗剤液を出すためのすすぎ撹拌が開始される（ステップＳ１４）。
【００３９】
すすぎ（２）行程、つまり最終すすぎ行程では、すすぎ（１）と同様に排水（ステップＳ１５）と中間脱水（ステップＳ１６）が行なわれ、それが終わった後に、すすぎ撹拌が開始される（ステップＳ１７）。
【００４０】
脱水行程では、すすぎ終了後、排水弁５９を開いて水槽５２内の水を排水した後、モータ５４を駆動させて、回転ドラムを高速回転させ、衣類に遠心力を与えることにより、水分を衣類から分離することで行う（ステップＳ１８）。
【００４１】
ステップＳ１にて液体洗剤自動投入が選択されていない場合は、ステップＳ２３へ進み、高品位仕上げコース以外のコースを選択（通常、高品位仕上げコースが選択できないようにプログラミングされている）する。次にステップＳ２４へ進み、布量検知を行った後に、ステップ２５にて制御手段８８に布量に応じた水位と洗剤量を表示し、ステップ２６にて、使用者による洗剤投入を行う。また、ステップＳ２にて高品位仕上げコースが選択されなかった場合は、ステップＳ１９へ進み、同様に高品位仕上げコース以外の運転コースを選択する。ステップＳ２０にて布量検知を行い、ステップＳ２１で布量判定の結果に応じた水位と洗剤量表示を行い、ステップＳ２２にて洗剤カップ量表示に相当した液体洗剤をエアポンプ９５により自動的に投入する。その後はいずれの場合もステップＳ１０へ進み、水槽５２内に給水を行い、本洗い行程へと入る。
【００４２】
以上のように、衣類の黒ずみを防止する黒ずみ防止コース（高品位仕上げコース）にて、予洗いで剥離されたある程度汚れた洗剤水を全て排水し、再度液体洗剤をエアポンプ９５により自動で投入し、洗濯物に含まれた洗剤分と新たに投入された洗剤とを合わせて略１倍以上の洗剤濃度にて本洗い行程を行なうことで、振動性能を損なうことなく、洗浄性能を高めて、衣類の黒ずみを防止し、高品質の仕上がりを行なうことができる。
【００４３】
また、図４のステップ８による排水で、衣類から剥離されたある程度の汚れが、機外へ完全に排出されることで、回転ドラム内の衣類には残りの汚れと衣類に吸収された洗剤分が残留した状態となっている。ステップＳ９にて液体洗剤による自動投入は、布量が４．５ｋｇであれば、通常洗剤濃度の液体洗剤量は洗剤カップ０．８杯であるが、衣類に吸収されて残っている洗剤分を考慮すると、予洗い時に投入した０．８杯よりも少ない量、例えば０．７から０．６杯でも通常より洗剤濃度を上げてやることが可能であり、余分な洗剤を使用せずに環境にも配慮した上で、洗浄性能を高めて、衣類の黒ずみを防止し、高品位に仕上げることが可能となる。
【００４４】
（実施の形態２）
図５は、同ドラム式洗濯機の洗い〜脱水制御のフローチャートである。制御手段は、黒ずみ防止コースにおいて、布量検知手段の結果に応じて、エアポンプ９５にて洗剤を投入し、給水弁にて給水を行った後、モータを動作させて予洗い行程を行い、排水弁を動作させて水槽内の水を排水し、所定時間脱水した後でエアポンプ９５にて洗剤を投入し、本洗いをするように構成されている。
【００４５】
図５に示すように、ステップＳ８の後に脱水行程を入れ（ステップＳ１０１）衣類の内部に残っている汚れを脱水行程により、強制的に剥離させて機外へ排出させる。以上のように本実施の形態においては、衣類の黒ずみを防止する黒ずみ防止コース（高品位仕上げコース）にて、予洗いで剥離されたある程度汚れた洗剤水を全て排水するとともに、衣類の内部に残っている汚れまでも剥離し、機外へ排出した後に、再度液体洗剤を自動で投入し、洗濯物に含まれたわずかな洗剤分と新たに投入された洗剤とを合わせて略１倍以上の洗剤濃度にて本洗い行程を行なうことで、振動性能を損なうことなく、洗浄性能を高めて、衣類の黒ずみを防止し、高品質の仕上がりを行なうことができる。
【００４６】
また、図５においてステップ１０１の脱水を行うことにより、予洗いで剥離されたある程度汚れた洗剤水を全て排水するとともに、衣類の内部に残っている汚れまでも強制的に剥離し、機外へ排出しているので衣類に残る主な汚れは落ちており、再度液体洗剤を自動で投入する場合であっても、洗濯物に含まれたわずかな洗剤分と合わせても、本洗いに必要な洗剤は予洗い時に投入した０．８よりも少ない量、例えば０．４から０．５杯でも十分に洗浄性能を出すことが可能であり、余分な洗剤を使用せずにさらなる環境にも配慮した上で、洗浄性能を高めて、衣類の黒ずみを防止し、高品位の仕上げることができる。
【００４７】
なお、図５のフローチャートにおいて、ステップＳ１からステップＳ２６は、図４と同じであり説明を省略する。
【産業上の利用可能性】
【００４８】
以上のように、本発明にかかるドラム式洗濯機は、振動性能を損なうことなく、洗浄性能を高めて、衣類の黒ずみを防止することが可能になるので、他の洗濯機の用途にも適用できる。
【符号の説明】
【００４９】
５１  洗濯機本体
５２  水槽
５３  回転ドラム
５４  モータ
５９  排水弁
７１  排水口
７４  操作表示手段
８３  入力設定手段
８４  表示手段
８５  給水弁
８８  制御手段
９１  布量検知手段
９４  洗剤タンク（洗剤自動投入装置）
９５  エアポンプ（洗剤自動投入装置）
【図１】
2012090829.tif 000003
【図２】
2012090829.tif 000004
【図３】
2012090829.tif 000005
【図４】
2012090829.tif 000006
【図５】
2012090829.tif 000007
【図６】
2012090829.tif 000008
【図７】
2012090829.tif 000009
【図８】
2012090829.tif 000010